(57)【特許請求の範囲】
【請求項１】
隣り合う一方と他方のハウスユニット同士を連結するハウスユニットの連結金具において、
一方のハウスユニットの柱に設ける一側連結具と、前記一側連結具に連結され他方のハウスユニットの柱に設ける他側連結具とを備え、
前記一側連結具に上部が開口した切欠き孔を設け、前記切欠き孔に係止する係止部を前記他側連結具に設け、
前記柱，前記一側連結具及び前記他側連結具が金属製であり、
前記一側連結具は、一側本体に前記切欠き孔を設け、前記一側本体を前記柱の凹部に固定し、
前記他側連結具は、一対の他側本体を前記柱の凹部に固定すると共に、前記一対の他側本体に前記一側本体を挿入する間隔を設け、前記一対の他側本体に前記係止部を設けたことを特徴とするハウスユニットの連結金具。
【請求項２】
請求項１記載の連結金具を用いて複数のハウスユニットを連結した建築物であって、
前記ハウスユニットは略直方体形状をなし、前記一方のハウスユニットの側面部には複数の前記柱が設けられ、前記一方のハウスユニットの側面部に対応する他方のハウスユニットの側面部には複数の前記柱が設けられていることを特徴とする建築物。
【請求項３】
前記一方のハウスユニットの前記複数の柱の少なくとも２つと、前記他方のハウスユニットの前記複数の柱の少なくとも２つとを、前記一側連結具と前記他側連結具により連結したことを特徴とする請求項２記載の建築物。
【請求項４】
複数の前記ハウスユニットの側面部には、建築物の外面となる部分に外装と内装を施し、前記複数の前記ハウスユニットの一部に設備を設けた後、一方のハウスユニットを設置し、この一方のハウスユニットの一側連結具に、他方のハウスユニットの他側連結具を位置合わせし、前記一側連結具の切欠き孔に前記他側連結具の係止部を係止して隣り合う一方と他方のハウスユニット同士を連結することを特徴とする請求項２又は３記載の建築物の建築方法。
【発明の詳細な説明】
【技術分野】
【０００１】
本発明は、ハウスユニットの連結金具とこれを用いた建築物及びその建築方法に関する。
【背景技術】
【０００２】
従来、この種のものとして、電気、ガス及び給排水設備の配管が集中する配管スペースと、流し台、浴槽及びトイレなどとを備えた略直方体形状のハウスユニットからなり、前記配管スペースにおいて外部の電気、ガス及び給排水設備の配管と接続可能となっている仮設ハウスであって、前記ハウスユニットの下端外周には側面略コ字形状で上側突設部と下側突設部とを有し前記上側突設部に複数個の固定用孔部が形成された第１の接続部材が固設されており、また前記ハウスユニットの上端外周には側面略コ字形状で上側突設部と下側突設部とを有し前記上側突設部に複数個の固定用孔部が形成された第２の接続部材が固設されているものである（例えば特許文献１）。
【０００３】
上記仮設ハウスでは、あらかじめ流し台、浴槽、トイレなどを略直方体形状のハウスユニット内に形成しておき、このハウスユニット単位でトラックの荷台などに載置して運搬し、基礎などの上に設置することができる。また、電気、ガス及び給排水設備の配管が集中する配管スペースを設けているので、この電気、ガス及び給排水設備の終端部を配管スペースに配設しておき、この配管スペースにおいて、電気、ガス及び給排水設備の既存の外部配管を接続するだけで、該設備の配管が可能であり、各種電気機器や流し台、浴槽などを設置後速やかに利用することができる。
【先行技術文献】
【特許文献】
【０００４】
【特許文献１】特開平８−２１８６５４号公報
【発明の概要】
【発明が解決しようとする課題】
【０００５】
上記仮設ハウスは、前記ハウスユニットの上端及び下端の外周に側面略コ字形状の第１及び第２の接続部材が固設されているので、前記ハウスユニットを２段に積み重ねた状態で使用できるので、省スペース化を図ることができる。
【０００６】
このように従来のものは、上下のハウスユニットを簡便に組み立てることができるが、隣り合うハウスユニット同士の連結を簡便に行うことができるものが望まれていた。
【０００７】
解決しようとする問題点は、隣り合うハウスユニット同士の連結を簡便に行うことができるハウスユニットの連結金具とこれを用いた建築物及びその建築方法を提供することを目的とする。
【課題を解決するための手段】
【０００８】
請求項１の発明は、隣り合う一方と他方のハウスユニット同士を連結するハウスユニットの連結金具において、一方のハウスユニットの柱に設ける一側連結具と、前記一側連結具に連結され他方のハウスユニットの柱に設ける他側連結具とを備え、前記一側連結具に上部が開口した切欠き孔を設け、前記切欠き孔に係止する係止部を前記他側連結具に設け、前記柱，前記一側連結具及び前記他側連結具が金属製であり、前記一側連結具は、一側本体に前記切欠き孔を設け、前記一側本体を前記柱の凹部に固定し、前記他側連結具は、一対の他側本体を前記柱の凹部に固定すると共に、前記一対の他側本体に前記一側本体を挿入する間隔を設け、前記一対の他側本体に前記係止部を設けたことを特徴とする。
【０００９】
請求項２の発明は、請求項１記載の連結金具を用いて複数のハウスユニットを連結した建築物であって、前記ハウスユニットは略直方体形状をなし、前記一方のハウスユニットの側面部には複数の前記柱が設けられ、前記一方のハウスユニットの側面部に対応する他方のハウスユニットの側面部には複数の前記柱が設けられていることを特徴とする。
【００１０】
請求項３の発明は、前記一方のハウスユニットの前記複数の柱の少なくとも２つと、前記他方のハウスユニットの前記複数の柱の少なくとも２つとを、前記一側連結具と前記他側連結具により連結したことを特徴とする。
【００１１】
請求項４の発明は、複数の前記ハウスユニットの側面部には、建築物の外面となる部分に外装と内装を施し、前記複数の前記ハウスユニットの一部に設備を設けた後、一方のハウスユニットを設置し、この一方のハウスユニットの一側連結具に、他方のハウスユニットの他側連結具を位置合わせし、前記一側連結具の切欠き孔に前記他側連結具の係止部を係止して隣り合う一方と他方のハウスユニット同士を連結することを特徴とする。
【発明の効果】
【００１２】
請求項１の構成によれば、一方のハウスユニットの柱に設けた一側連結具に、他方のハウスユニットの柱に設けた他側連結具を連結することができる。具体的には、重機などにより他方のハウスユニットを吊り上げ、一側連結具の切欠き孔の上部に、他側連結具の係止部の位置を合わせ、他方のハウスユニットを吊り下ろすと、切欠き孔に係止部が係入し、係止部が切欠き孔に係止する。これにより一方と他方のハウスユニット同士が連結される。
【００１３】
また、一対の他側本体の間に前記一側本体を挿入し、係止部を切欠き孔に係止することにより、隣り合う柱同士の位置を合わせて連結することができる。また、一側本体と他側本体を凹部に固定したから、隣り合う柱の間隔を狭くして連結することができる。
【００１４】
請求項２の構成によれば、柱同士を連結金具により連結することにより複数のハウスユニットを連結して建築物を構築することができる。
【００１５】
請求項３の構成によれば、複数の柱同士を連結金具により連結することにより複数のハウスユニットを連結して建築物を構築することができる。
【００１６】
請求項４の構成によれば、複数の前記ハウスユニットの側面部には、建築物の外面となる部分に外装と内装を施し、複数の前記ハウスユニットの一部に設備を装備することにより、現場での内装，外装及び設備作業に必要な時間が短縮され、短い工期で建築物を構築することができる。
【図面の簡単な説明】
【００１７】
【図１】本発明の実施例１を示す一部を切り欠いた連結金具の正面図である。
【図２】同上、一側連結具の正面図である。
【図３】同上、連結金具の平面図である。
【図４】同上、連結金具の斜視図である。
【図５】同上、連結前の連結金具の斜視図である。
【図６】同上、ハウスユニットの平面説明図である。
【図７】同上、建築物の要部の平面図である。
【図８】同上、建築物の１階の平面図である。
【図９】同上、建築物の正面図である。
【図１０】同上、建築物の右側面図である。
【図１１】同上、建築物の１階の要部の平面図である。
【図１２】同上、中間の柱の位置が異なる複数のハウスユニットの平面説明図である。
【図１３】本発明の実施例２を示す建築物の１階の要部の平面図である。
【図１４】同上、連結前のハウスユニットの平面図である。
【図１５】本発明の実施例３を示す建築物の要部の平面図である。
【発明を実施するための形態】
【００１８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１９】
以下、本発明の実施例１について、図１〜図１２に基づいて説明する。本発明の建築物１は、宿舎，旅館，ホテル，老人ホームやマンション等として使用することができる。また、建築物１は、複数のハウスユニット２を連結金具３により連結して構築される。
【００２０】
まず、建築物１に用いる連結金具３について説明する。連結金具３は、一方の柱11と他方の柱11を連結するものであり、この例では柱11にＨ形鋼を用い、このＨ形鋼はウエブ部12の両側にフランジ部13，13を有する。また、連結金具３は、一方の柱11に固定する一側連結具14と、他方の柱11に固定する他側連結具15とを備える。前記一側連結具14は、柱11に固定する板状のベース部16と、このベース部16に垂直に設けられた板状の一側本体17とを備え、この一側本体17は前記フランジ部13と平行で両フランジ部13，13の間に位置する。前記一側本体17には、上部が開口した切欠き孔18が形成されている。そして、前記柱11は、ウエブ部12の外面と両フランジ部13，13との間に、外側が開口した凹部13Ａが設けられている。
【００２１】
前記切欠き孔18の柱11側（基端側）である内縁部19は略垂直に形成され、この内縁部19と一側本体17の柱側上面20との間に湾曲部21が設けられている。前記内縁部19の下部には半円状の底縁部22が形成され、この底縁部22の反柱11側（先端側）である外縁部23は、その下部に略垂直な外縁下部23Ａを設け、この外縁下部23Ａの上部に傾斜縁部23Ｂを設け、この傾斜縁部23Ｂは上側に向かって外側になるように傾斜し、前記傾斜縁部23Ｂの上部には湾曲部24が形成され、一側本体17の外端上部25は前記柱側上面20より低く形成されている。
【００２２】
また、前記他側連結具15は、柱11に固定する板状のベース部26と、このベース部26に垂直に設けられた一対の他側本体27，27とを備える。これら一対の他側本体27，27は板状をなし、柱11側である内側から外側に向かって上下幅がテーパー状に縮小し、その外端部には略半円状の湾曲部28が形成されている。さらに、一対の他側本体27，27は前記一側本体17を遊嵌可能な間隔29を置いて配置されている。具体的には、前記一対の他側本体27，27の基端側には長方形形状のスペーサ板26Ａが一対の他側本体27，27に挟まれて配置され、そのスペーサ板26Ａに一対の他側本体27，27の固定することにより、間隔29が設定され、その間隔29の寸法は、一側本体17の厚さの２倍以上、４倍以下である。また、一対の他側本体27，27の間には、前記切欠き孔18に係止する係止部たる係止軸30を設けている。尚、図１〜図４では、係止軸30をボルト・ナットのボルトにより構成した例を示し、図５では、他側本体27，27に固着したパイプ材により係止軸30を構成した例を示している。
【００２３】
尚、間隔29の寸法が、一側本体17の厚さの２倍未満であると、間隔29への一側本体17の位置合わせ作業に高い精度が必要となり、一方、４倍以上であると、隣り合うハウスユニット２，２同士の前後位置合わせ効果が低下するため、上記の範囲とした。
【００２４】
図１に示すように、前記切欠き孔18に前記係止軸30が係止した状態で、隣り合う柱11，11の間に、隙間Ｓが形成される。また、隙間Ｓの略中央が隣り合うハウスユニット２，２の連結箇所である。
【００２５】
ハウスユニット２は、Ｈ形鋼や山形鋼などの鋼材を骨組みとして、前後方向に長い略直方体形状をなす。具体的には、図６に示すように、ハウスユニット２の骨組み構造10は、ハウスユニット２の上面及び下面に、鋼材などからなる枠体31を設け、この枠体31は、前，後部材31Ｍ，31Ｕと左，右部材31Ｌ，31Ｒとを備え、前記上面及び下面とは略同形であり、それら上，下の枠体31，31を複数の柱11，11´により連結している。
【００２６】
また、ハウスユニット２は、建築物１の前後の外面に位置する長さ方向両側の側面部32Ｍ，32Ｕと、幅方向両側の側面部32Ｒ，32Ｌとを備える。長さ方向両側の側面部32Ｍ，32Ｕは、建築物１の外面となり、外装及び内装が施されている。さらに、長さ方向両側の側面部32Ｒ，32Ｌが他側面，一側面である。一方、建築物１の左右両端以外のハウスユニット２の左，右の側面部32Ｒ，32Ｌは、全面的に開口していたり、内装や仕切り壁を設けて残りが部分的に開口したりしている。また、全てのハウスユニット２には、床面と天井面とを工場において取り付ける。
【００２７】
図６に示すように、前記ハウスユニット２の四方の角部側には前記柱11が設けられ、これら角部の柱11は隣り合うハウスユニット２の柱11のウエブ部12が平行になるように配置され、この例ではウエブ部12は左右方向に配置される。また、前記側面部32Ｒ，32Ｌにおいて、角部の柱11の間には、一対の中間の柱11´が前後に間隔を置いて設けられている。これら中間の柱11´の前後間隔は、廊下33の間隔に対応し、また、角部の柱11とこれに隣り合う中間の柱11´の間隔は、部屋34の前後幅に対応している。そして、図７に示すように、１つのハウスユニット２には、廊下33を挟んで２つの部屋34，34が形成される。尚、柱11と柱11´は同一構成であるが、柱11´には断面における寸法の異なるＨ形鋼を用いてもよい。
【００２８】
また、部屋34と廊下33との間には左右方向の仕切り壁35が設けられ、この仕切り壁35には出入りのための開閉扉36が設けられている。さらに、長さ方向の両側面部32Ｍ，32Ｕには窓37が設けられている。
【００２９】
そして、この例では、角部の柱11に連結具14，15を溶接等により固定している。具体的には、前記右の側面部32Ｒの角部の柱11，11の外面に、同一の前記一側連結具14，14を固定し、前記左の側面部32Ｌの角部の柱11，11の外面に、同一の前記他側連結具15，15を固定する。また、一側連結具14と他側連結具15とを左右逆に取り付けてもよい。尚、柱11の高さが例えば２．７ｍ（メートル）であれば、連結具14，15は１．７ｍの高さに設けられる。この場合、柱11の高さの１／２以上、２／３以下の高さに連結具14，15を設けることが施工の上で好ましい。
【００３０】
ハウスユニット２は、少なくともここまで説明した構成を工場において製造した後、設置する現場まで運搬車両等に搭載して移送される。
【００３１】
次に、上述したようなハウスユニット２を設置して建築物１を構築する本発明の建築方法について説明する。ハウスユニット２はそれ自身単体でも用いることができるが、複数個連設して集合住宅などとして用いることもできる。まず、コンクリートなどにより所望とするハウスユニット２の設置個数に応じた基礎（図示せず）を形成する。該基礎には、アンカーボルト（図示せず）を埋設固定し、該アンカーボルトの螺子部を基礎の上面に突出しておく。そして、ハウスユニット２を基礎に設置すると共に、該ハウスユニット２の下部の鋼材（図示せず）などを前記アンカーボルトにより基礎に固定する。具体的には、アンカーボルトの螺子部を下部の鋼材に挿通し、該螺子部にナットを螺合することにより固定する。尚、設置場所によっては、基礎を設けない場合もある。
【００３２】
また、左右方向に隣り合うハウスユニット２の連結は以下のようにして行われる。先に基礎に設置した一方のハウスユニット２に対し、その右の側面部32Ｒの一側連結具14に、他方のハウスユニット２の左の側面部32Ｌの他側連結具15を連結する。具体的には、重機などにより他方のハウスユニット２を吊り上げ、一側連結具14の切欠き孔18の上部に、他側連結具15の係止軸30の位置を合わせ、他方のハウスユニット２を吊り下ろす。すると切欠き孔18に係止軸30が係入し、係止軸30が切欠き孔18の底縁部22に係止する。
【００３３】
この場合、切欠き孔18に設けられた傾斜縁部23Ｂにより係止軸30が案内され、スムーズに係止が行われる。また、前後方向両側の柱11，11，11，11が連結金具３，３により連結されることにより、一方のハウスユニット２と他方のハウスユニット２との左右の間隔が正しく設定される。尚、他方のハウスユニット２も一方のハウスユニット２と同様にして基礎に固定する。このようにして複数のハウスユニット２，２・・・を左右に複数連結する。
【００３４】
次に、このようにして基礎上に固定したハウスユニット２上にさらに２階となるハウスユニット２を積み重ねて設置する。この設置は、下段側のハウスユニット２の上の枠体31に、上段側のハウスユニット２の下の枠体31が合致するように載せ、重ね合わせた枠体31，31をボルト（図示せず）などの固定手段で締結することにより、ハウスユニット２上にハウスユニット２を積み重ねた状態で固定することができる。
【００３５】
また、部屋34には、設備として、ベット41，机42や椅子43を配置する。尚、工場において、予めベット41，机42や椅子43を部屋34に配置しておいてもよく、予めベット41，机42や椅子43を部屋34に仮固定し、ハウスユニット２を現場に設置した後、それらの仮固定を解除してもよい。また、ベット41は工場で部屋34に固定したままでもよい。こうすればベット41，机42や椅子43をハウスユニット２と共に現場まで運搬することができる。
【００３６】
そして、１階部分101のハウスユニット２，２・・・を複数個連設するとともに、その上に２階部分102のハウスユニット２，２・・・を積み重ねて建築物１たるホテルを構築する。また、図１１は示すように、建築物１の１階部分101には、以下のものを構築する。１階部分101の右側には複数のハウスユニット２，２・・・を連結し、これらと逆の左側の端部側には、前側に浴室44と脱衣室45を設ける。前記浴室44には、複数の湯船46と、複数のシャワーを備えたシャワー室47と、複数の蛇口48を設ける。また、浴室44と脱衣室45との仕切り壁49には開閉扉49Ａを複数設ける。浴室44の隣には、左側からコインランドリー50，トイレ51，階段52及び物置52Ａ，玄関ホール53，下足室54，受付55，事務室56，洗面所57，書庫58，トイレ付きの給湯室59が設けられ、また、建築物１内の後側に廊下60が設けられ、この廊下60は前記廊下33に繋がっている。さらに、前記玄関ホール53には、建築物１の前側に風除室53Ａが設けられ、この風除室53Ａに出入り用の扉53Ｂが設けられている。また、前記階段52は１階部分101と２階部分102との通路となる。尚、建築物１には、食堂を設けることができる。
【００３７】
尚、前記仕切り壁35，開閉扉36，湯船46，シャワー室47，蛇口48，浴室44，仕切り壁49，開閉扉49Ａ，コインランドリー50，トイレ51，階段52，下足室54，受付55，事務室56，洗面所57，書庫58，給湯室59などが建築物１内に装備する各種の設備である。
【００３８】
また、図８に示すように、前側の前記１階部分101の後側には、ハウスユニット２，２・・・を複数個連設して中央側及び後側の１階部分101Ａ，101Ｂを構築し、それら１階部分101，101Ａ，101Ｂは前後に間隔を置いて設けられると共に、屋根61Ａを有する渡り廊下61により連結されている。
【００３９】
さらに、図１０に示すように、１階部分101，101Ａ，101Ｂ及び２階部分102，102Ａ，102Ｂの左右には、廊下33に連通する開閉扉62が設けられ、２階部分102，102Ａ，102Ｂの開閉扉62と地面との間には避難階段63が設けられている。
【００４０】
また、前側の１階部分101を例に説明すると、図１０に示すように、前側の１階部分101は、前後幅及び左右幅の等しい２４個のハウスユニット２からなる。尚、２４個のハウスユニット２は前後幅及び左右幅が等しい。また、理解を容易にするため、左側からＮ番目（Ｎは自然数）のハウスユニット２の設置位置をＷＮとして説明する。
【００４１】
具体的には、図８及び図９に示すように、１階部分101の右側は、９つの前記ハウスユニット２（Ｗ１６〜Ｗ２４）を連結してなり、これら９つのハウスユニット２（Ｗ１６〜Ｗ２４）は図１２（Ａ）に示す骨組み構造10を有する。また、１階部分101の左側で浴室44及び脱衣室45となる部分は、左から１番目のハウスユニット２（Ｗ１）と、左から２〜５番目のハウスユニット２（Ｗ２〜Ｗ５）を連結してなる。左から１〜５番目のハウスユニット２（Ｗ１〜Ｗ５）の骨組み構造10は、浴室44となる箇所に中間の柱11´を設けていないが、中間の柱11´を設けてもよい。左から１番目のハウスユニット２は、左の側面部32Ｌに工場において予め外装及び内装が施され、また、左の側面部32Ｌに中間の柱11´が設けられている。左から２〜４番目のハウスユニット２（Ｗ２〜Ｗ４）は左，右の側面部32Ｌ，32Ｒが開口している。そして、左から１〜２番目のハウスユニット２（Ｗ１〜Ｗ２）には、湯船46を工場で取り付け、左から３番目のハウスユニット２（Ｗ３）には、シャワー室47の少なくとも一部の設備を工場で取り付け、左から４〜５番目のハウスユニット２（Ｗ４〜Ｗ５）には、湯船46を工場で取り付ける。また、５番目のハウスユニット２には、後側の廊下60の部分を残して右の側面部32Ｒに、内装たる内壁部71を工場において取り付け、その右の側面部32Ｒには、中間の柱111，111が設けられている。図１２（Ｂ）に示すように、それら中間の柱111，111の前後間隔は、前記ハウスユニットの中間の柱11´，11´の間隔より広い。尚、中間の柱111は位置が異なる以外は、前記中間の柱11´と同一構成である。また、連結箇所を挟んで隣り合う中間の柱11´，11´，柱111，111は前後方向において同じ位置にあり、隣り合うハウスユニット２，２を連結金具３により連結すると、隣り合う中間の柱11´，11´同士，柱111，111同士も、図３の柱11，11のように隣り合い、例えば、図７に示すように中間の柱11´，11´が隣り合って配置されている。
【００４２】
左から６〜８番目のハウスユニット２（Ｗ６〜Ｗ８）は、図１２（Ｂ）に示すように、左，右の側面部32Ｌ，32Ｒに前記中間の柱111，111を設けた骨組み構造10を有し、左，右の側面部32Ｌ，32Ｒに工場において内装が施されている。そして、６番目のハウスユニット２（Ｗ６）には、コインランドリー50の設備の全部又は一部を工場において取り付け、７番目のハウスユニット２（Ｗ７）には、トイレ51の設備の全部又は一部を工場において取り付け、８番目のハウスユニット２（Ｗ８）には、階段52を取り付けるための加工を工場において施す。或いは、工場で８番目のハウスユニット２（Ｗ８）に階段52を取り付けてもよい。
【００４３】
左から９番目のハウスユニット２（Ｗ９）の骨組み構造10は、左，右の側面部32Ｌ，32Ｒに中間の柱111，111を有し、左から１０番目のハウスユニット２の骨組み構造10は、図１２（Ｃ）に示すように、左の側面部32Ｌに中間の柱111，111を有し、右の側面部32Ｒの前後に中間の柱111，11´を有する。また、左から９番目のハウスユニット２（Ｗ９）には、風除室53Ａの一部又は全部と開閉扉53Ｂを工場において取り付ける。そして、９〜１０番目のハウスユニット２（Ｗ９〜Ｗ10）を連結金具３により連結することにより玄関ホール53を構築する。
【００４４】
左から１１〜１４番目のハウスユニット２（Ｗ11〜Ｗ14）の骨組み構造10は、図１２（Ｄ）に示すように、左，右の側面部32Ｌ，32Ｒの前後に中間の柱111，11´を有する。１１番目のハウスユニット２（Ｗ11）には、受付55の設備の一部又は全部と、下足室54の内装の一部又は全部を工場において取り付ける。尚、受付55は、ホテルであれば宿泊者が宿泊の申し込み行う場所である。さらに、１５番目のハウスユニット２（Ｗ15）の骨組み構造10は、図１２（Ｅ）に示すように、左の側面部32Ｌの前後に中間の柱111，11´を有し、右の側面部32Ｌ，32Ｒの前後に中間の柱11´，11´を有する。
【００４５】
そして、図１２（Ａ）はハウスユニット２（Ｗ16〜Ｗ24）の平面説明図である。図１２（Ａ）では、前側の角部の柱11とこれと前後において隣り合う中間の柱11´とは基準間隔Ｌだけ離れている。また、図１２（Ｂ）では、後側の角部の柱11とこれと前後において隣り合う中間の柱111とは基準間隔Ｌ´だけ離れ、基準間隔Ｌは基準間隔Ｌ´より大きい。このように渡り廊下61を除いて全てのハウスユニット２の骨組み構造10の外形は等しく、２つの基準間隔Ｌ，Ｌ´を設定し、基準間隔Ｌ，Ｌ´を組み合わせ、且つ１つのハウスユニット２において左，右の側面部32Ｌ，32Ｒで中間の柱を同一に配置したり、異なる配置にしたりして中間の柱11´，111を設けている。これにより建築物１の内部の配置や仕切りに対応してハウスユニット２を工場で製造し、現場で組み立てることにより所望の内部構造を得ることができる。また、隣り合うハウスユニット２，２の連結箇所の側面部32Ｌ，32Ｒには、隣り合うハウスユニット２，２間を行き来することができる開口部が設けられ、例えば、図７では開口部が廊下33である。
【００４６】
また、書庫58及び給湯室59は、１４〜１５番目のハウスユニット２（Ｗ14〜Ｗ15）に跨って配置され、書庫58及び給湯室59の左右方向の仕切り壁72などは連結箇所で分割されて工場において１４〜１５番目のハウスユニット２（Ｗ14〜Ｗ15）に取り付けられている。また、１４番目のハウスユニット２（Ｗ14）には洗面所57の一部又は全部の設備が工場において取り付けられている。また、同様に仕切り壁49も１〜５番目のハウスユニット２（Ｗ１〜Ｗ５）に跨って配置され、その仕切り壁49は連結箇所で分割されて工場において１４〜１５番目のハウスユニット２（Ｗ14〜Ｗ15）に取り付けられている。
【００４７】
そして、１５番目のハウスユニット２（Ｗ15）と、部屋34を有する１６番目のハウスユニット２（Ｗ16）とが連結金具３により連結される。また、全ての隣り合うハウスユニット２が連結金具３により連結される。
【００４８】
さらに、渡り廊下61は、屋根61Ａを有するハウスユニット２からなり、左，右の側面部32Ｌ，32Ｒには工場において外壁部73，73が設けられている。尚、渡り廊下61の骨組み構造10に設ける中間の柱11´，111は１本でもよい。また、渡り廊下61の前後は開口し、１階部分101，101Ａの間の渡り廊下61は、その前側が玄関ホール53に連通し、その後側が１階部分101Ａに連通する。尚、渡り廊下61は１階にのみに設けられている。
【００４９】
そして、全てのハウスユニット２は、工場において、少なくとも前，後の側面部32Ｍ，32Ｕの内装と外装が施される。また、１階部分101，101Ａ，101Ｂの両端の左，右の側面部32Ｌ，32Ｒ以外、左右方向において隣り合うハウスユニット２は連結金具３により連結される。
【００５０】
このように本実施例では、請求項１に対応して、隣り合う一方と他方のハウスユニット２，２同士を連結するハウスユニット２の連結金具３において、一方のハウスユニット２の柱11に設ける一側連結具14と、一側連結具14に連結され他方のハウスユニット２の柱11に設ける他側連結具15とを備え、一側連結具14に上部が開口した切欠き孔18を設け、切欠き孔18に係止する係止部たる係止軸30を他側連結具15に設けたから、一方のハウスユニット２の柱11に設けた一側連結具14に、他方のハウスユニット２の柱11に設けた他側連結具15を連結することができる。具体的には、重機などにより他方のハウスユニット２を吊り上げ、一側連結具14の切欠き孔18の上部に、他側連結具15の係止軸30の位置を合わせ、他方のハウスユニット２を吊り下ろすと、切欠き孔18に係止軸30が係入し、係止軸30が切欠き孔18に係止する。これにより一方と他方のハウスユニット２，２同士が連結される。
【００５１】
また、柱11，一側連結具14及び他側連結具15が金属製であり、一側連結具14は、一側本体17に切欠き孔18を設け、一側本体17を柱11の凹部13Ａに固定し、他側連結具15は、一対の他側本体27，27を柱11の凹部13Ａに固定すると共に、一対の他側本体27，27に一側本体17を挿入する間隔29を設け、一対の他側本体27，27に係止部たる係止軸30を設けたから、一対の他側本体27，27の間に一側本体17を挿入し、係止軸30を切欠き孔18に係止することにより、隣り合う柱11，11同士の位置を合わせて連結することができる。また、一側本体17と他側本体27を凹部13Ａに固定したから、隣り合う柱11，11の隙間Ｓを狭くして連結することができる。
【００５２】
また、このように本実施例では、請求項２に対応して、請求項１記載の連結金具３を用いて複数のハウスユニット２，２を連結した建築物１であって、ハウスユニット２，２は略直方体形状をなし、一方のハウスユニット２の側面部たる右の側面部32Ｒには複数の柱11，11が設けられ、一方のハウスユニット２の右の側面部32Ｒに対応する他方のハウスユニット２の側面部たる左の側面部32Ｌには複数の柱11，11が設けられているから、一方と他方のハウスユニット２，２の柱11，11同士を連結金具３により連結することにより複数のハウスユニット２，２を連結して建築物１を構築することができる。
【００５３】
また、このように本実施例では、請求項３に対応して、一方のハウスユニット２の複数の柱11，11，11´，111の少なくとも２つと、他方のハウスユニット２の複数の柱11，11，11´，111の少なくとも２つとを、一側連結具14と他側連結具15により連結したから、複数の柱11，11同士を連結金具３により連結することにより複数のハウスユニット２，２を連結して建築物１を構築することができる。
【００５４】
また、このように本実施例では、請求項４に対応して、複数のハウスユニット２の側面部には、建築物１の外面となる部分に外装と内装を施し、複数のハウスユニット２の一部に設備を設けた後、一方のハウスユニット２を設置し、この一方のハウスユニット２の一側連結具14に、他方のハウスユニット２の他側連結具15を位置合わせし、一側連結具14の切欠き孔18に他側連結具15の係止部たる係止軸30を係止して隣り合う一方と他方のハウスユニット２，２同士を連結するから、複数のハウスユニット２の側面部には、建築物１の外面となる部分に外装と内装を施し、複数のハウスユニット２の一部に設備を装備することにより、現場での内装，外装及び設備作業に必要な時間が短縮され、短い工期で建築物１を構築することができる。
【００５５】
また、実施例上の効果として、ハウスユニット２は前後方向に長く形成され、その前後方向両側の柱11，11同士を連結金具３により連結し、このように長さ方向両側を連結金具３，３により連結したから、一方のハウスユニット２と他方のハウスユニット２との左右の間隔を正しく設定して設置することができる。また、前後方向両側の柱11，11の２個所で連結することにより、寸法精度が出し易い。さらに、ハウスユニット２の骨組み構造10の外形は等しく、２つの基準間隔Ｌ，Ｌ´を設定し、これら基準間隔Ｌ，Ｌ´を組み合わせ、且つ図１２（Ａ）（Ｂ）（Ｄ）のように、左，右の側面部32Ｌ，32Ｒで中間の柱を同一に配置したり、図１２（Ｃ）（Ｅ）のように、異なる配置にしたりして中間の柱11´，111を設けている。これにより建築物１の内部の配置や仕切りに対応してハウスユニット２を工場で製造し、現場で組み立てることにより所望の内部配置を得ることができる。尚、図１２では中央の柱は２本設けられているが、１本でもよい。また、左右方向の仕切り壁72を隣り合うハウスユニット２，２で分割したから、隣り合うハウスユニット２，２を連結することにより、連続した仕切り壁72が形成される。
【００５６】
また、部屋34を形成する複数のハウスユニット２（Ｗ１６〜Ｗ２４）と、トイレ51を構築するハウスユニット２（Ｗ７）と、玄関ホール53とを構築する複数又は単数のハウスユニット２（Ｗ９〜Ｗ10）等を備え、さらに好ましくは、浴室44を構築する複数のハウスユニット２（Ｗ１〜Ｗ５）を備え、それらハウスユニット２には設備の少なくとも一部が工場にて備えられているから、それらハウスユニット２を用いて宿泊可能な建築物１を現場で簡便に構築することができる。このように１つのハウスユニット２を単位とし、複数のハウスユニット２を連結金具３により連結することにより、建築物１を現場において短時間で構築することができる。
【実施例２】
【００５７】
図１２〜図１３は本発明の実施例２を示し、上記実施例１と同一部分に同一符号を付し、その説明を省略して詳述すると、この例では、４つの部屋を３つのハウスユニットにより構築している。尚、本実施例２と後述する実施例３の建築物１は、実施例１と同様に、１階部分101，101Ａ，101Ｂと２階部分102，102Ａ，102Ｂを有する。
【００５８】
前側の１階部分101は、左から１〜１８番目のハウスユニット２（Ｗ１〜Ｗ18）を連結して構築される。また、前側の１階部分101には厨房75と食堂76が設けられ、食堂76には自動販売機77が設けられている。
【００５９】
中央側の１階部分101Ａの左側に示すように、左から１番目のハウスユニット２（Ｗ１´）は、骨組み構造10に、建築物１の外面となる左の側面部32Ｌと前後の側面部32Ｍ，32Ｕを設け、各側面部32Ｌ，32Ｍ，32Ｕに内装及び外装を施し、且つ分割した仕切り壁35Ａを設け、右の側面部32Ｒが開口したものを工場で製造する。
【００６０】
また、左から２番目のハウスユニット２（Ｗ２´）は、前後の側面部32Ｍ，32Ｕに内装及び外装を施し、左右の側面部32Ｌ，32Ｒが開口し、且つ左右中央において、前の側面部32Ｍと分割した仕切り壁35Ａとの間に、部屋仕切り壁81を設けると共に、後の側面部32Ｕと分割した仕切り壁35Ａとの間に、部屋仕切り壁81を設け、左右の側面部32Ｌ，32Ｒは開口したものを工場で製造する。
【００６１】
さらに、左から３番目のハウスユニット２（Ｗ３´）は、各側面部32Ｍ，32Ｕに内装及び外装を施すと共に、右の側面部32Ｒに内装を施し、且つ分割した仕切り壁35Ａを設けたものを工場で製造する。
【００６２】
そして、１〜３番目のハウスユニット２（Ｗ１´〜Ｗ３´）を連結金具３により連結して組み立てると、図１３に示すように、４つの部屋82が形成され、この部屋82は前記部屋34より左右方向に広く、１つの部屋82に２つのベット41，41が設けられる。尚、１〜３番目のハウスユニット２（Ｗ１´〜Ｗ３´）の左右幅は、他のハウスユニット２の幅と同幅である。
【００６３】
このように本実施例では、上記実施例１と同様な作用・効果を奏する。
【００６４】
また、この例では、３つのハウスユニット２により略１．５個分の部屋82を形成したから、１つのハウスユニット２に設ける部屋34より広い部屋82を提供できる。
【実施例３】
【００６５】
図１４は本発明の実施例３を示し、上記各実施例と同一部分に同一符号を付し、その説明を省略して詳述すると、この例はハウスユニット２の変形例を示している。
【００６６】
前側の１階部分101の左から第１〜第６のハウスユニット２（Ｗ１〜Ｗ６）は、図１２（Ｂ）に示したように、前後に中間の柱111，111を設けた骨組み構造10を用いたものであって、前後方向一側である前側に１つの部屋85と、前後方向他側である後側に廊下60となる部分とを有する。その部屋85にはユニットバス86とユニットトイレ87とが工場において取り付けられている。
【００６７】
中央側の１階部分101Ａには、前記実施例２で説明した３つのハウスユニット２（Ｗ１´〜Ｗ３´）を連結して４つの部屋82を形成している。各部屋82にはトイレと湯船を備えたトイレ付ユニットバス88が工場において取り付けられている。
【００６８】
また、中央側の１階部分101Ａの右側は、２つのハウスユニット２（Ｗ22´〜Ｗ23´）により前後２つの部屋89，89を形成している。
【００６９】
このように本実施例では、上記各実施例と同様な作用・効果を奏する。
【００７０】
また、この例では、２つのハウスユニット２（Ｗ22´〜Ｗ23´）を連結することにより左右方向に広い部屋89を形成することができる。
【００７１】
尚、本発明は、前記実施形態に限定されるものでは無く、種々の変形実施が可能である。例えば、実施例では、図中、左側のハウスユニットを一方のハウスユニット、右側のハウスユニットを他方のハウスユニットとして説明したが、右側のハウスユニットを一方のハウスユニット、左側のハウスユニットを他方のハウスユニットとしても良いことは言うまでもない。また、実施例では、前後方向両側の柱同士を連結金具により連結したが、中間の柱同士を連結金具により連結してもよい。また、玄関は１階部分の左右端部側に設けてもよい。さらに、実施例では２階建の建築物を示したが、３階以上でもよい。また、１つのハウスユニットにおいて、左側２本と右側２本に同じ連結具を設けるようにしてもよい。
【符号の説明】
【００７２】
１  建築物
２  ハウスユニット
３  連結金具
11  柱
13Ａ  凹部
14  一側連結具
15  他側連結具
17  一側本体
18  切欠き孔
27  他側本体
29  間隔
30  係止軸（係止部）
Ｓ  隙間（連結箇所）
32Ｍ  前の側面部
32Ｕ  後の側面部
32Ｒ  右の側面部（他側面）
32Ｌ  左の側面部（一側面）
34  部屋
35  仕切り壁（設備）
36  開閉扉（設備）
37  窓（設備）
44  浴室（設備）
45  脱衣室（設備）
46  湯船（設備）
47  シャワー室（設備）
48  蛇口（設備）
49  仕切り壁（設備）
49Ａ  開閉扉（設備）
50  コインランドリー（設備）
51  トイレ（設備）
52  階段（設備）
53  玄関ホール（設備）
53Ａ  風除室（設備）
53Ｂ  扉（設備）
54  下足室（設備）
55  受付（設備）
56  事務室（設備）
57  洗面所（設備）
58  書庫（設備）
59  給湯室（設備）
62  開閉扉（設備）
63  避難階段
75  厨房（設備）
76  食堂（設備）
81  部屋仕切り壁（設備）
86  ユニットバス（設備）
87  ユニットトイレ（設備）
88  トイレ付ユニットバス（設備）
【図１】
0006628991.tif 000002
【図２】
0006628991.tif 000003
【図３】
0006628991.tif 000004
【図４】
0006628991.tif 000005
【図５】
0006628991.tif 000006
【図６】
0006628991.tif 000007
【図７】
0006628991.tif 000008
【図８】
0006628991.tif 000009
【図９】
0006628991.tif 000010
【図１０】
0006628991.tif 000011
【図１１】
0006628991.tif 000012
【図１２】
0006628991.tif 000013
【図１３】
0006628991.tif 000014
【図１４】
0006628991.tif 000015
【図１５】
0006628991.tif 000016